(57)【要約】【課題】基台自体が揺動する意外性のある揺動玩具を提供すること。【解決手段】基台である殻体の内部に、下部に永久磁石又は電磁石のいずれか一方の部品が設けられ上部の軸を中心に動作可能な振り子と、前記一方の部品を挟み込むように間隔をもって設けられた前記永久磁石又は前記電磁石の他方の部品と、前記電磁石を制御して磁力により前記振り子を前記軸を中心に動作させて前記殻体を揺動させる制御手段とを備えたことを特徴とする。【選択図】図１
2009297263.tif 000002
【特許請求の範囲】
【請求項１】
基台である殻体の内部に、該殻体に水平に取り付けられる軸から離間した部分に永久磁石又は電磁石のいずれか一方の部品が付設された振り子と、前記振り子の動作方向に取り付けられる前記永久磁石又は電磁石の他方の部品と、前記電磁石を制御して磁力により前記振り子を前記軸を中心に動作させて前記殻体を前記振り子の動作方向に揺動させるための電磁石制御手段とを備え、振り子は、上部で前記軸に支持され、下部に前記一方の部品が付設されていることを特徴とする揺動玩具。
【請求項２】
前記殻体には、少なくとも振り子の揺動方向で且つ前記殻体の載置面に平行となる一の方向に重心位置を変えるための重心変更手段を備えたことを特徴とする請求項１に記載の揺動玩具。
【請求項３】
前記重心変更手段は、前記殻体内に移動可能に設けられたバランス重りと、前記殻体に設けられ前記バランス重りと連係され前記殻体の外部からの操作によって前記バランス重りを移動させる摘みとを含んで構成されていることを特徴とする請求項２に記載の揺動玩具。
【請求項４】
前記殻体には、前記一の方向とは直交する方向に前記殻体が傾動することを防止するための傾動防止手段が設けられ、前記傾動防止手段は、前記殻体と、該枠体とは別体で該枠体が載置されるマットとに亘って構成され、前記マットの載置面には前記一の方向に延在する凸条又は長穴である第一の係合部が形成され、前記殻体の下面には前記一の方向に延在する長穴又は凸条であり且つ揺動に伴って前記第一の係合部と嵌合状態を保持する第二の係合部が形成されていることを特徴とする請求項１〜３のいずれか一項に記載の揺動玩具。
【請求項５】
前記殻体には、前記一の方向に前記殻体が移動することを防止するための位置決め手段が設けられ、前記位置決め手段は、前記第一の係合部の延在方向の中央部分に該第一の係合部の延在方向と直交する方向に延在して形成された凸部又は穴である第三の係合部と、前記第一の係合部の延在方向の中央部分に該第一の係合部の延在方向と直交する方向に延在して形成された凸部又は穴であり且つ揺動の際に前記第三の係合部と嵌合状態を保持する第四の係合部とから構成されていることを特徴とする請求項４に記載の揺動玩具。
【請求項６】
前記振り子の下端には下方に開口する穴が形成され、前記殻体の底部には上下に貫通する孔が形成され、前記殻体とは別体のピンを前記底部の下側から前記孔を通して前記振り子の前記穴に挿入することによって、前記振り子を中立位置に固定できるように構成されていることを特徴とする請求項１〜５のいずれか一項に記載の揺動玩具。
【発明の詳細な説明】
【技術分野】
【０００１】
本発明は、揺動玩具に関するものであり、さらに詳しくは、振り子に磁力を作用させて揺動させる揺動玩具に関するものである。
【背景技術】
【０００２】
従来、この種の揺動玩具として、基台に電磁石を設ける一方で、振り子に永久磁石を設け、振り子の軸を挟んで反対側の端部に揺動体（例えば、花、葉、人形の頭部）を設けたものが知られている（例えば、特許文献１〜３）。この揺動玩具は、磁力によって振り子を軸を中心に揺動させることで、揺動体を揺動させるように構成されている。
【特許文献１】特開２００４−２０８９１３号公報（図１及び図２参照）
【特許文献２】特開２００４−２３０１９６号公報（図１乃至図３参照）
【特許文献３】特開２００５−５８４１７号公報（図１及び図３参照）
【発明の開示】
【発明が解決しようとする課題】
【０００３】
しかしながら、上記特許文献１〜３に開示された揺動玩具は、基台自体は揺動させずに、基台に設けた揺動体のみを揺動させるものである。そのため、意外性に乏しいものであった。
【０００４】
本発明は、基台自体が揺動する意外性のある揺動玩具を提供することを目的とする。
【課題を解決するための手段】
【０００５】
請求項１に記載の発明は、基台である殻体の内部に、該殻体に水平に取り付けられる軸から離間した部分に永久磁石又は電磁石のいずれか一方の部品が付設された振り子と、前記振り子の動作方向に取り付けられる前記永久磁石又は電磁石の他方の部品と、前記電磁石を制御して磁力により前記振り子を前記軸を中心に動作させて前記殻体を前記振り子の動作方向に揺動させるための電磁石制御手段とを備え、振り子は、上部で前記軸に支持され、下部に前記一方の部品が付設されていることを特徴とする揺動玩具である。
【０００６】
請求項２に記載の発明は、前記殻体には、少なくとも振り子の揺動方向で且つ前記殻体の載置面に平行となる一の方向に重心位置を変えるための重心変更手段を備えたことを特徴とする請求項１に記載の揺動玩具である。
【０００７】
請求項３に記載の発明は、前記重心変更手段は、前記殻体内に移動可能に設けられたバランス重りと、前記殻体に設けられ前記バランス重りと連係され前記殻体の外部からの操作によって前記バランス重りを移動させる摘みとを含んで構成されていることを特徴とする請求項２に記載の揺動玩具である。
【０００８】
請求項４に記載の発明は、前記殻体には、前記一の方向とは直交する方向に前記殻体が傾動することを防止するための傾動防止手段が設けられ、前記傾動防止手段は、前記殻体と、該枠体とは別体で該枠体が載置されるマットとに亘って構成され、前記マットの載置面には前記一の方向に延在する凸条又は長穴である第一の係合部が形成され、前記殻体の下面には前記一の方向に延在する長穴又は凸条であり且つ揺動に伴って前記第一の係合部と嵌合状態を保持する第二の係合部が形成されていることを特徴とする請求項１〜３のいずれか一項に記載の揺動玩具である。
【０００９】
請求項５に記載の発明は、前記殻体には、前記一の方向に前記殻体が移動することを防止するための位置決め手段が設けられ、前記位置決め手段は、前記第一の係合部の延在方向の中央部分に該第一の係合部の延在方向と直交する方向に延在して形成された凸部又は穴である第三の係合部と、前記第一の係合部の延在方向の中央部分に該第一の係合部の延在方向と直交する方向に延在して形成された凸部又は穴であり且つ揺動の際に前記第三の係合部と嵌合状態を保持する第四の係合部とから構成されていることを特徴とする請求項４に記載の揺動玩具である。
【００１０】
請求項６に記載の発明は、前記振り子の下端には下方に開口する穴が形成され、前記殻体の底部には上下に貫通する孔が形成され、前記殻体とは別体のピンを前記底部の下側から前記孔を通して前記振り子の前記穴に挿入することによって、前記振り子を中立位置に固定できるように構成されていることを特徴とする請求項１〜５のいずれか一項に記載の揺動玩具である。
【発明の効果】
【００１１】
請求項１の発明によれば、基台自体が揺動することから、意外性のある揺動玩具が得られる。
【００１２】
請求項２及び３の発明によれば、重心位置を適宜調整することから、揺動の片寄りを防止することができる。
【００１３】
請求項４の発明によれば、マットによって殻体の傾きが防止される。
【００１４】
請求項５の発明によれば、マットによって揺動方向への移動が防止される。
【００１５】
請求項６の発明によれば、ピンによって振り子が中立位置に固定されることから、揺動玩具の運搬等に有利である。
【発明を実施するための最良の形態】
【００１６】
Ａ．第１の実施形態
以下に、本発明に係る揺動玩具を、図面を参照しながら説明する。
図１は、本発明に係る揺動玩具の一実施形態を示した斜視図、図２はその分解斜視図である。
【００１７】
（揺動玩具全体の概略構成）
図１に示す揺動玩具１は、全体が球状を呈し、例えば机上又はマット８０上で揺動するように構成されている。この揺動玩具１は、基台を構成する殻体１０と、殻体１０の揺動を規制するためのマット８０とを備えている。
【００１８】
（殻体の構成）
殻体１０は、図２に示すように、下部殻体１１と上部殻体とによって構成されている。そして、上部殻体は上部殻半体１２，１３によって構成されている。この中で、下部殻体１１は、殻体１０の底部を構成するもので、浅底かつ丸皿状に構成されている。一方、上部殻半体１２，１３は、略同一形状を呈し、半球状の枠体の一部（下部）を切り欠いた形状に構成されている。そして、下部殻体１１と上部殻半体１２，１３とは、互いに結合した際に、全体として外面が球状となるように構成されている。
【００１９】
（殻体の結合構造）
上部殻半体１２，１３の内面には、互いに結合した際に対向する部位に、４本のボス１４，１５がそれぞれ相手側上部殻半体に向けて延在するように設けられている。そして、１本のボス１４には１本のボス１５が対応している。対応するボス１４，１５は、上部殻半体１２，１３を結合する際に、先端部同士が互いに向き合うように構成されている。ボス１４には雌ねじ１４ａが形成され、ボス１５にはねじ挿通孔１５ａが設けられている。ねじ挿通孔１５ａは上部殻半体１３を内外に貫通している。この貫通部分を上部枠半体１３の外側から見た場合、そこは座ぐり穴となっている。
また、上部殻半体１２，１３の下端内周面には半環状凸部１６がそれぞれ形成されている。この半環状凸部１６は、上部殻半体１２，１３を互いに結合した際に、互いに合わさって環状凸部を構成する。一方、底部殻半体１１の外周面には、上記環状凸部に嵌合可能な環状凹部１７が形成されている。
そして、この揺動玩具１では、下部殻体１１の環状凹部１７と半環状凸部１６，１６とを嵌合させながら上部殻半体１２，１３を互いに当接させ、その状態で、上部殻半体１３の座ぐり穴からねじ挿通孔１５ａにねじ１９を挿入し、そのねじ１９を雌ねじ１４ａに螺合させることによって、下部殻体１１と上部殻半体１２，１３とを互いに結合するように構成されている。
【００２０】
（電池の取付構造）
上部殻半体１２には内面上部に電池ケース１８が設けられている。電池ケース１８は、角筒状を呈し、相手側上部殻半体１３に向けて延在している。電池ケース１８の先端部の開口部は上部殻半体１２の開口近くにまで達している。一方、上部殻半体１３には、電池ケース１８の開口部に対向する部位に、全体が矩形状で球状に湾曲する孔２０が形成されている。この孔２０が形成された部分には、孔２０を開閉するための電池蓋２１が開閉自在又は着脱自在に設けられている。
そして、この揺動玩具１では、電池蓋２１を開放又は離脱した状態で、孔２０から単三電池又は単二電池等の電池Ａを電池収納ケース１８に充填したり、電池収納ケース１８に充填されている電池Ａを取り出すように構成されている。なお、図示はしないが、電池収納ケース１８の奥部と電池蓋２１の内面には電池Ａの端子と電気的接触する接片が形成されている。
【００２１】
（電源スイッチ用操作子）
上部殻半体１３には、上記孔２０の下に、円形状の孔２３が形成されている。この孔２３には、上部殻半体１３の内側に設けた電源スイッチをＯＮ，ＯＦＦさせるための摘み又はボタン等の操作子２４が配置されている。
なお、この操作子２４は、一旦孔２３に挿入された際には抜け落ちないような工夫がされていることは言うまでもない。例えば、上部殻半体１３の孔２３を該上部殻半体１３の外側から見た場合座ぐり穴が形成され、一方、上部殻半体１３の内側となる部分に抜け落ち防止用のリングが外嵌されるなどの工夫がなされている。このような工夫については種々考案されており一般的なものなので説明を省略する。
また、操作子２４がボタンである場合には、操作子２４を上部殻半体１３の外方に向けて付勢するばねなどが設けられる。
【００２２】
（回動板移動手段の操作摘み）
また、上部殻半体１３には、上記孔２３の下に、該孔２３よりも大きい円形状の孔２２が形成されている。この孔２２には、後述する回動板移動手段６６の操作摘み７１が配置されている。
なお、この操作摘み７１は、一旦孔２２に挿入された際には抜け落ちないような工夫がされていることは言うまでもない。例えば、上部殻半体１３の孔２２を該上部殻半体１３の外側から見た場合座ぐり穴が形成され、一方、上部殻半体１３の内側となる部分に抜け落ち防止用のリングが外嵌されるなどの工夫がなされている。このような工夫については種々考案されており一般的なものなので説明を省略する。
【００２３】
（殻体の内部構造）
１．全体概略
殻体１０の内部には、振り子４０、電磁石アッセンブリ５０、揺動バランス調整手段６０が図１に示すようにして収容設置されている。
【００２４】
２．振り子
振り子４０は軸４３を中心に揺動するものである。この振り子４０には円筒形の永久磁石４１が設けられている。この永久磁石４１は、振り子４０の下部の円筒状のホルダ４０ａによって保持されている。永久磁石４１は、両端面が振り子４０の揺動方向に向くようにホルダ４０ａに取り付けられている。この場合の永久磁石４１は、一方の端面がＮ極，他方の端面がＳ極となっている。
ホルダ４０ａは、中間部のアーム４０ｂを介して、上部の矩形状の枠体４０ｃに連結されている。この枠体４０ｃによって区画される矩形状の孔４２は、両側開口が振り子４０の揺動方向に向くように形成されている。
上部殻半体１２，１３の内面には、各２枚の矩形状の凸片２５，２６がそれぞれ設けられている。この凸片２５，２６の先端面には、半円状の切欠き部２５ａ，２６ａがそれぞれ形成されている。半円状の切欠き部２５ａ，２６ａは、上部殻半体１２，１３を互いに結合した際に、互いに合わさって軸受け孔を構成する。この軸受け孔には上記振り子４０の軸４３が挿入され、これによって振り子４０は凸片２５，２６に揺動自在に支持される。すなわち、半円状の切欠き部２５ａ，２６ａが形成された凸片２５，２６は軸受け部（第一の軸受け部）を構成する。そして、振り子４０を凸片２５，２６に支持した際には、上記電池及び電池ケース１８が振り子４０の矩形孔４２に挿入された状態となる。
なお、枠体４０ｃによって区画される矩形状の孔４２は、振り子４０が軸４３を中心に所定範囲で揺動した場合にも、電池Ａ及び電池ケース１８にぶつからない形状とされている。
【００２５】
３．電磁石アッセンブリ
電磁石アッセンブリ５０は、電磁石５１と、該電磁石５１を支持するブラケット５２とによって構成されている。
この中で、電磁石５１は、特に限定はされないが、ボビンに巻回された構造となっている。
一方、ブラケット５２は、電磁石５１の端面（ボビンの端面）を当接支持する支持板５２ａと、該支持板から垂直方向に延びるステー板５２ｂとによって構成されている。支持板５２ａの下端は、下部殻体１１の内面に倣った形状となっている。この支持板５２ａの両端部にはねじ挿通孔５３が形成されている。また、支持板５２ａには基板５４が固定されている。ステー板５２ｂは、支持板５２ａの幅方向の中心から左右いずれかの方向に少しずらした位置に設けられている。このステー板５２ｂの先端は、上部殻半体１２，１３の内面に倣った形状となっている。このステー板５２ｂには、ボス１４，１５に外嵌可能な孔５５が形成されている。
以上のように構成された電磁石アッセンブリ５０は次のようにして上部殻半体１２，１３に取り付けられる。すなわち、電磁石アッセンブリ５０のブラケット５２は、上部殻半体１２，１３の内面に設けられた合計４個のボス２７，２８（ボス２８の一方は図示せず）の雌ねじ２７ａ，２８ａに、支持板５２ａ，５２ａのねじ挿入孔５３に挿入したねじ（図示せず）を螺合させることによって、上部殻半体１２，１３に取り付けられる。すなわち、ねじ挿入孔５３が形成されたブラケット５２と、雌ねじ２７ａ，２８ａが形成されたボス２７，２８は電磁石取付手段（第一の取付手段）を構成する。なお、上部殻半体１２，１３にブラケット５２が取り付けられた状態では、支持板６４ａの下端が下部殻体１１の内面に当接し、ステー板６４ｂの先端が上部殻半体１２の内面に当接する。また、ちなみに、電磁石５１の取付位置（第一の取付位置）は振り子４０の永久磁石４１の取付位置とほぼ同じ高さ位置である。
【００２６】
４．揺動バランス調整手段（重心変更手段）６０
揺動バランス調整手段６０は殻体１０を適当な姿勢でもって揺動させるためのものである。すなわち、殻体１０の重心がずれている場合には次のような問題が生じる。例えば図６（Ａ）を用いて説明すれば、殻体１０の表面の模様である目玉部分は殻体１０の揺動に伴って上下に揺動するが、重心がずれていると、必要以上に下向きになったり、或いは上向きになってしまうので、それを調整するために揺動バランス調整手段６０が設けられる。この場合、揺動バランス調整手段６０を設ければ、殻体１０の表面の模様である目玉部分は殻体１０の揺動に伴って適当な位置で上下に揺動することになる。
この揺動バランス調整手段６０は、バランス重り６１と、バランス重り６１を保持する回動片６３と、回動片６３を軸６３ａを中心に回動自在に支持するブラケット６４と、回動片６３ａの回動量を規制するための環状板６５とによって構成されている。
【００２７】
この中で、ブラケット６４は、回動片６３を軸６３ａを中心に回動自在に支持する支持板６４ａと、支持板６４ａから垂直方向に延びるステー板６４ｂとによって構成されている。支持板６４ａの両端部にはねじ挿通孔６７が形成されている。ステー板６４ｂは、支持板６４ａの幅方向の中心から左右方向いずれかに少しずらした位置に設けられている。ステー板６４ｂの先端は上部殻半体１２の内面に倣った形状となっている。このステー板６４ｂには、ボス１４に外嵌可能な孔６８が形成されている。
このように構成されたブラケット６４は次のようにして上部殻半体１２，１３に取り付けられる。すなわち、ブラケット６４は、下部殻体１１と上部殻半体１２，１３とを互いに結合する際に、上部殻半体１３の座ぐり穴からねじ挿通孔１５ａにねじ１９を挿入し、そのねじ１９を雌ねじ１４ａに螺合させるときに、所定のボス１４にステー板６４ｂの孔６８を外嵌させておくことによって、殻体１０に取り付けられる。その際に、支持板６４ａの下端が下部殻体１１の内面に当接し、ステー板６４ｂの先端が上部殻半体１２の内面に当接する。これによって、ブラケット６４は殻体１０に固定される。すなわち、孔６８が形成されたブラケット６４と、孔６８が外嵌されるボス１４はバランス重り取付手段を構成する。
【００２８】
環状板６５には、内方に向けて突出する凸片６９ａ，６９ｂが設けられている。舌片６９ａ，６９ｂの設置位置は中心角で互いに９０度離れた位置である。この凸片６９ａ，６９ｂの先端には内方に開口する凹部７０ａ，７０ｂがそれぞれ形成されている。
また、環状板６５には、少なくとも凸片６９ｂから凸片６９ａの反対側に中心角で９０度離れた位置（換言すれば舌片６９ａの対向位置）にラック歯７３が形成されている。
以上の環状板６５は、下部殻体１１と上部殻半体１２，１３とを互いに結合した際に、上部殻半体１２，１３に水平に形成した円弧状溝３０ａ，３０ｂに遊嵌支持される。
なお、この実施形態では、凸片６９ｂの凹部７０ｂに、回動片６３に設けられた凸部６２が嵌合される。そして、環状板６５が回転したときに、回動片６３が下端の軸６３ａを中心に回動するようになっている。
【００２９】
環状板移動手段６６は、操作摘み７１と、操作摘み７１の軸７１ａの先端に設けられたピニオン７２と、上記環状板６５に形成されたラック歯７３とによって構成されている。この環状板移動手段６６では、操作摘み７１が上部殻半体１３に形成した孔２２に回転自在に支持され、ピニオン７２が環状板６５のラック歯７３に噛合している。
その結果、操作摘み７１を回転させると、ピニオン７２及びラック歯７３を介して環状板６５が回動（移動）し、舌片６９ｂ，凸部６２を介して回動片６３が一方に回動する。したがって、バランス重り６１の位置がずれ、それによって重心位置が調整される。
【００３０】
５．傾動防止手段及び位置決め手段
揺動玩具１は傾動防止手段及び位置決め手段を備えている。この傾動防止手段及び位置決め手段は、殻体１０の重心のずれによって、殻体１０が揺動方向に直交する方向に傾いたり、揺動に伴って揺動方向に少しずつ移動するのを防止するものである。
この傾動防止手段及び位置決め手段は、下部殻体１１と、殻体１０を載置させるマット８０との双方に亘って構成されている。
すなわち、マット８０の中心部上面には円弧状の凸条（リブ）８１が形成されている。また、凸条８１の中間部には、垂直方向に張り出した凸部（リブ）８１ａが形成されている。一方、下部殻体１１には、中心を含んで延設され、下方に開口するスロット３１と、長穴３１を挟んで平行に形成され下方に突出する円弧状のリブ３２が形成されている。図１及び図２では、分かりにくいが、スロット３１が形成されている部分は、下部殻体１１の下方で凹（スロット３１）となっており、下部殻体１１の上方でその分盛り上がって凸となっている。一方、リブ３２が形成されている部分は、下部殻体１１の上方では凹となっており、下部殻体１１の下方でその分盛り上がって凸（リブ３２）となっている。また、スロット３１の中間には、垂直方向に張り出しかつ下方に開口する凹部（スロット）３１ａが形成されている。図１及び図２では、分かりにくいが、凹部３１ａが形成されている部分は、下部殻体１１の下方で凹（凹部３１ａ）となっており、下部殻体１１の上方ではその分盛り上がって凸となっている。なお、スロット３１及び凹部３１ａに変えてスリットを設けても良い。つまり、穴であれば良い。ここに「穴」とは部材を貫通するものと貫通しないものの双方を含む。
そして、殻体１０をマット８０の上に載置して遊ぶ場合には、下部殻体１１のスロット３１をマット８０の凸条８１に合致させるとともに、凹部３１ａを凸部８１ａに合致させる。これによって、殻体１０は、凸条８１によって拘束されて、殻体１０が揺動方向に直交する方向に傾くのが防止される。また、殻体１０は、凸部８１ａに拘束されて、揺動に伴って揺動方向に少しずつ移動するのが防止される。
【００３１】
（振り子位置固定手段）
下部殻体１１の中心（凸条８１と凸部８１ａが交差する部分）には図３に示すように孔１１ａが形成されている。また、永久磁石４１のホルダ４０ａの下端には穴４４が形成されている。そして、それらの孔１１ａ及び穴４４にピン４５を挿入させることによって、振り子４０を拘束することができる。したがって、揺動玩具１を運搬する際に、振り子４０が内部でがたつくことがなく運搬を行なうことができる。ここに「孔」とは部材を貫通する穴を言い、「穴」とは部材を貫通するものと貫通しないものの双方を含む。
【００３２】
（電気的接続構造）
このように構成された揺動玩具１には、電磁石制御手段が構成された制御基板（図示せず）が上部殻半体１２，１３のいずれかの内面に設置され、該制御基板の回路は電池ボックス１８及び電池蓋２１に配設した端子にそれぞれ接続され、また、電磁石５１の基板５４の配線パターンに接続されている。
【００３３】
（揺動玩具の動作）
電源ボタン２３を操作すると、電磁石５１，５１は、フリップ・フロップ回路等を含む電磁石制御手段によって磁極が切り換えられ、永久磁石４１が電磁石５１，５１間を往復する。それによって、殻体１０は、図６（Ａ）に示すように、凹部３１ａ及び凸部８１ａを支点として前後に揺動する。
ここで、電磁石制御手段の一例について説明すれば、例えば図７に示すような構成となっている。同図では電磁石５１，５１はコイルＬ１，Ｌ２として示されている。
この電磁石制御手段の動作を説明すれば、次の通りである。
１）電源を投入した瞬間は、電流はわずかで、どちらのトランジスタＱ１，Ｑ２のコレクタ−エミッタ間も導通状態にはないのでコイルＬ１、Ｌ２には磁界が発生しない。トランジスタＱ１、Ｑ２のコレクタを流れない電流は、それぞれの電界コンデンサＣ１、Ｃ２に充電される。
２）例えば、ここでトランジスタＱ２のベース電圧が先に０．７Ｖを越えたとすると、トランジスタＱ２のコレクタ−エミッタ間が導通状態になり、先にＬ２がオンとなり、磁界が発生して振り子４０の永久磁石４１を引き付ける。
３）トランジスタＱ２に接続しているコンデンサＣ１は、トランジスタＱ２が導通状態になるとアースに接続されたことになり、今までとは逆の方向に電気を充電してゆく。
すると、その先につながったトランジスタＱ１のベース電圧も下がり、トランジスタＱ１はオフになる。コンデンサＣ２には容量が一杯になるまで電流が流れる。やがてコンデンサＣ２が一杯にになるとトランジスタＱ２に供給されていたベース電流が止まり、トランジスタＱ２は不通になる。
４）今までトランジスタＱ２を流れていた電流は行き場を失い、コンデンサＣ１に流れ始め、コンデンサＣ１は逆の方向に電気を充電してゆく。するとコンデンサＣ１を通して、徐々にトランジスタＱ１のベースに電流が流れ０．７Ｖを越えるとトランジスタＱ１が導通し、Ｌ１に磁界が発生し、振り子４０の永久磁石４１を引き付ける。
５）トランジスタＱ１に接続されたコンデンサＣ２は、トランジスタＱ１の導通により逆方向に電気を充電してゆく。
するとその先に接続されたトランジスタＱ２はオフ状態になる。
やがてコンデンサＣ２がいっぱいになるとトランジスタＱ１に供給されていたベース電流が止まり、トランジスタＱ１は不通になる。
６）以下、上記の動作を繰り返す。
【００３４】
Ｂ．第２の実施形態
図４及び図５は第２の実施形態の揺動玩具１を示している。この揺動玩具１は、殻体１０の揺動の向きを変えたものであり、振り子以外は、同じ部品が使用される。
【００３５】
この揺動玩具１で使用される振り子４０Ａは、永久磁石４１Ａの中心軸に対して軸４３Ａの中心軸が直角をなしている。そして、上部殻半体１２，１３の内面に設けられたボス３０の軸受け孔に軸４３Ａを挿入させることによって揺動可能に支持される。すなわち、軸受け孔が設けられたボス３０は軸受け部を構成する。このように、図１に示す揺動玩具１においては、このように振り子４０Ａにも対応できるように、上部殻半体１２，１３の内面に予めボス３０が設けてある。
【００３６】
また、電動アッセンブリ５０，５０のブラケット５２，５２は次のようにして上部殻半体１２，１３に取り付けられる。すなわち、ブラケット５２は、下部殻体１１と上部殻半体１２，１３とを互いに結合する際に、上部殻半体１３の座ぐり穴からねじ挿通孔１５ａにねじ１９を挿入し、そのねじ１９を雌ねじ１４ａに螺合させるときに、所定のボス１４にステー板５２ｂの孔５５を外嵌させておくことによって、殻体１０に取り付けられる。その際に、支持板５２ａの下端が下部殻体１１の内面に当接し、ステー板５２ｂの先端が上部殻半体１２の内面に当接する。これによって、ブラケット５２は殻体１０に固定される。すなわち、孔５５が形成されたブラケット５２と、孔５５が外嵌されるボス１４はバランス重り取付手段（第二の取付手段）を構成する。
【００３７】
また、重心変更手段６０の支持板６４ａを上部殻半体１２におけるボス２７に、ねじによって固定し、回動片６３の凸部６２（図示せず）を環状板６５の凹部７０ａに嵌合させる。
【００３８】
そして、下部殻体１１を水平面上で９０度回転させた状態で、上部殻半体１２，１３を、それらの半環状凸部１６を下部殻体１１の環状凹部１７に嵌合させながら互いに当接させ、上部殻半体１３のねじ挿通孔１５ａにねじ１９を挿通し、そのねじ１９を下部殻体１１の雌ねじ１４ａに螺合することによって結合させる。
【００３９】
このように構成された揺動玩具１では、電磁石５１によって振り子４０Ａの永久磁石４１Ａが左右に往復移動し、それによって、殻体１０は、図６（Ｂ）に示すように左右に揺動する。
【００４０】
その際、左右の揺動量を異ならせたい場合、又は、揺動量を同じにしたい場合には、操作摘み７１を回動させ、ピニオン７２，ラック歯７３を介して環状板６５を回動させ、凸片６９ａ，回動片６３の凸部６２を介してバランス重り６１を左又は右方向に移動させる。すると、殻体１０の重心が左又は右方向に移動し、それによって、殻体１０の左右の揺動量が調整される。
【００４１】
Ｃ．他の実施形態
上記実施形態では、電源として電池Ａを備えているが、マット８０に太陽電池を設け、マット８０と殻体１０の接触部分から電気を供給するように構成しても良い。さらには、殻体１０の表面に太陽電池を設けても良い。例えば、太陽電池等の電源をマット８０に設置し、電力を凸条８１等を介して殻体１０の電源端子等に供給することもできる。
このように構成すれば、電池Ａを避けるための構造が不要となるので、振り子を共通なものとすることができる。勿論、電池Ａを用いる場合でも、電池Ａを水平方向でなく鉛直方向に延在するように設ければ、振り子を共通とすることができる。
【図面の簡単な説明】
【００４２】
【図１】本発明の第１の実施形態に係る揺動玩具の一態様を示した斜視図である。
【図２】図１に示した揺動玩具の分解斜視図である。
【図３】揺動玩具の殻体とマットとの連係状態を示した概念図である。
【図４】本発明の第２の実施形態に係る揺動玩具を示した斜視図である。
【図５】図４に示した揺動玩具の斜視図である。
【図６】本発明に係る揺動玩具の揺動態様を示した斜視図でり、（Ａ）は前後方向に揺動する第１の実施形態の態様を示し、（Ｂ）は左右方向に揺動する第２の実施形態の態様を示している。
【図７】本発明に係る揺動玩具の電磁石制御手段の構成を示す図である。
【符号の説明】
【００４３】
１    揺動玩具
１０    殻体
１１    下部殻体
１１ａ    孔
１２    上部殻半体
１３    上部殻半体
３１    長穴
４０    振り子
４１    永久磁石
５０    電磁石アッセンブリ
５１    電磁石
６０    揺動バランス調整手段
６１    バランス重り
６５    環状板
６６    環状板移動手段
７１    操作摘み
８０    マット
８１    凸条
８１ａ    凸部
８２    リブ
Ａ    電池（電源）
【図１】
2009297263.tif 000003
【図２】
2009297263.tif 000004
【図３】
2009297263.tif 000005
【図４】
2009297263.tif 000006
【図５】
2009297263.tif 000007
【図６】
2009297263.tif 000008
【図７】
2009297263.tif 000009